(57)【特許請求の範囲】
【請求項１】
検査員により入力された当該検査員の目視による対象車両の外装・内装の目視確認結果を取得する目視確認結果取得手段（５ａ）と、
検査員が通信端末（３）において表示される診断画面を見ながら対象車両に対して暖機運転やブレーキ操作やアクセル操作を行うことによる電子診断に係る作業を行うことで変動し、車載装置から前記通信端末を介して送信された対象車両の車両内部のデータを、電子診断データベース（７）に記憶されている基準値との比較やその有無により電子診断する電子診断手段（５ｂ）と、
対象車両の車両内部のデータを前記電子診断手段が電子診断したことで、電子診断結果を取得する電子診断結果取得手段（５ｃ）と、
前記目視確認結果取得手段により取得された前記目視確認結果と前記電子診断結果取得手段により取得された前記電子診断結果とに基づいて対象車両を評価する評価手段（５ｄ）と、
前記評価手段による評価結果を出力する評価結果出力手段（５ｅ）と、を備えたことを特徴とする電子診断を用いた中古車評価システム。
【請求項２】
請求項１に記載した電子診断を用いた中古車評価システムにおいて、
前記評価結果を評価履歴として記憶する記憶手段（１０）を備えたことを特徴とする電子診断を用いた中古車評価システム。
【請求項３】
請求項２に記載した電子診断を用いた中古車評価システムにおいて、
前記評価結果出力手段は、前記評価履歴をも出力することを特徴とする電子診断を用いた中古車評価システム。
【請求項４】
請求項１から３の何れか一項に記載した電子診断を用いた中古車評価システムにおいて、
前記評価手段は、前記評価結果として、前記目視確認結果に応じたランク、前記電子診断結果に応じたランクを決定すると共に、その決定したランクに応じた総合的なランクを付与し、その付与したランクを含む鑑定結果を用いることを特徴とする電子診断を用いた中古車評価システム。
【請求項５】
請求項４に記載した電子診断を用いた中古車評価システムにおいて、
前記評価手段は、前記評価結果として、前記鑑定結果に基づいて査定額を計算し、その計算した査定額を含む査定結果を用いることを特徴とする電子診断を用いた中古車評価システム。
【請求項６】
請求項１から５の何れか一項に記載した電子診断を用いた中古車評価システムにおいて、
サーバ（２）と通信端末（３）とが通信可能に構成され、
前記目視確認結果取得手段、前記電子診断手段、前記電子診断結果取得手段、前記評価手段、前記評価結果出力手段が前記サーバに設けられていることを特徴とする電子診断を用いた中古車評価システム。
【請求項７】
通信端末（３）と共に電子診断を用いた中古車評価システム（１）を構成し、前記通信端末と通信可能に構成されているサーバ（２）であって、
検査員により入力された当該検査員の目視による対象車両の外装・内装の目視確認結果を前記通信端末から取得する目視確認結果取得手段（５ａ）と、
検査員が通信端末（３）において表示される診断画面を見ながら対象車両に対して暖機運転やブレーキ操作やアクセル操作を行うことによる電子診断に係る作業を行うことで変動し、車載装置から前記通信端末を介して送信された対象車両の車両内部のデータを、電子診断データベース（７）に記憶されている基準値との比較やその有無により電子診断する電子診断手段（５ｂ）と、
対象車両の車両内部のデータを前記電子診断手段が電子診断したことで、電子診断結果を取得する電子診断結果取得手段（５ｃ）と、
前記目視確認結果取得手段により取得された前記目視確認結果と前記電子診断結果取得手段により取得された前記電子診断結果とに基づいて対象車両を評価する評価手段（５ｄ）と、
前記評価手段による評価結果を前記通信端末に出力する評価結果出力手段（５ｅ）と、を備えたことを特徴とするサーバ。
【請求項８】
請求項７に記載したサーバにおいて、
前記評価手段による前記評価結果を評価履歴として記憶する記憶手段（１０）を備えたことを特徴とするサーバ。
【請求項９】
通信端末（３）と共に電子診断を用いた中古車評価システム（１）を構成し、前記通信端末と通信可能に構成されているサーバ（２）に、
検査員により入力された当該検査員の目視による対象車両の外装・内装の目視確認結果を前記通信端末から取得する第１の手順と、
検査員が通信端末（３）において表示される診断画面を見ながら対象車両に対して暖機運転やブレーキ操作やアクセル操作を行うことによる電子診断に係る作業を行うことで変動し、車載装置から前記通信端末を介して送信された対象車両の車両内部のデータを、電子診断データベース（７）に記憶されている基準値との比較やその有無により電子診断する第２の手順と、
対象車両の車両内部のデータを前記第２の手順により電子診断したことで、電子診断結果を取得する第３の手順と、
前記第１の手順により取得した前記目視確認結果と前記第３の手順により取得した前記電子診断結果とに基づいて対象車両を評価する第４の手順と、
前記第４の手順による評価結果を前記通信端末に出力する第５の手順と、を実行させるための中古車評価プログラム。
【請求項１０】
請求項９に記載した中古車評価プログラムにおいて、
前記第４の手順による評価結果を記憶手段（１０）に記憶する第６の手順を実行させるための中古車評価プログラム。
【発明の詳細な説明】
【技術分野】
【０００１】
本発明は、電子診断を用いた中古車評価システム、サーバ及び中古車評価プログラムに関する。
【背景技術】
【０００２】
中古車を評価する方法としては、対象車両の外装・内装を検査員が目視により確認する方法が従来から行われている。又、特許文献１には、過去の消耗部品の交換データ、点検整備データ、故障データ等を検査員がデータベースに入力して管理する方法が開示されている。
【先行技術文献】
【特許文献】
【０００３】
【特許文献１】特開２００２−２５９７５３号公報
【発明の概要】
【発明が解決しようとする課題】
【０００４】
特許文献１の方法では、過去にデータベースに入力した消耗部品の交換データ等を中古車の評価に反映させることができる。しかしながら、この方法では、データをデータベースに入力する手間が発生し、作業性の点で改善する余地がある。又、中古車の評価に反映させるデータが、データベースに入力したデータに限られ、データベースに入力していない現在の車両内部のデータまで中古車の評価に反映させることはできない。このような事情から、中古車の評価をより適切に行えるシステムが要望されている。
【０００５】
本発明は、上記した事情に鑑みてなされたものであり、その目的は、検査員の作業性を高めることができつつ、現在の車両内部のデータを中古車の評価に反映させることができ、中古車の評価をより適切に行うことができる電子診断を用いた中古車評価システム、サーバ、中古車評価プログラムを提供することにある。
【課題を解決するための手段】
【０００６】
請求項１に記載した電子診断を用いた中古車評価システムによれば、目視確認結果取得手段は、検査員により入力された当該検査員の目視による対象車両の外装・内装の目視確認結果を取得する。電子診断手段は、検査員が通信端末において表示される診断画面を見ながら対象車両に対して暖機運転やブレーキ操作やアクセル操作を行うことによる電子診断に係る作業を行うことで変動し、車載装置から通信端末を介して送信された対象車両の車両内部のデータを、電子診断データベースに記憶されている基準値との比較やその有無により電子診断する。電子診断結果取得手段は、対象車両の車両内部のデータを電子診断手段が電子診断したことで、電子診断結果を取得する。評価手段は、目視確認結果取得手段により取得された目視確認結果と電子診断結果取得手段により取得された電子診断結果とに基づいて対象車両を評価する。評価結果出力手段は、評価手段による評価結果を出力する。
【０００７】
即ち、検査員が通信端末において表示される診断画面を見ながら対象車両に対して暖機運転やブレーキ操作やアクセル操作を行うことによる電子診断に係る作業を行うことで変動し、車載装置から通信端末を介して送信された対象車両の車両内部のデータを、電子診断データベースに記憶されている基準値との比較やその有無により電子診断することで、検査員の目視による対象車両の外装・内装の目視確認結果に加え、目視確認結果と電子診断結果とに基づいて対象車両を評価するようにした。これにより、検査員の目視による対象車両の外装・内装の目視確認結果のみでなく、検査員の目視では捉えられない現在の車両内部のデータの電子診断結果をも直接（データベースに入力せずに）中古車の評価に反映させることができる。その結果、検査員がデータをデータベースに入力する手間が発生することもなく、検査員の作業性を高めることができつつ、現在の車両内部のデータを中古車の評価に反映させることができ、中古車の評価をより適切に行うことができる。
【図面の簡単な説明】
【０００８】
【図１】本発明の第１の実施形態を示す全体構成図
【図２】通信端末及び車載装置の構成を示す機能ブロック図
【図３】シーケンス図
【図４】初期画面を示す図
【図５】車両登録画面を示す図
【図６】車両選択画面を示す図
【図７】外装鑑定画面を示す図
【図８】電子診断画面を示す図
【図９】エンジンの回転数の推移、画面の推移、及び車両から取得する車両データを示す図
【図１０】診断開始画面を示す図
【図１１】暖機指示画面を示す図
【図１２】第１の操作指示画面を示す図
【図１３】第２の操作指示画面を示す図（その１）
【図１４】第２の操作指示画面を示す図（その２）
【図１５】第３の操作指示画面を示す図
【図１６】鑑定・査定画面を示す図
【図１７】鑑定結果及び査定結果を示す図
【図１８】鑑定結果画面を示す図（その１）
【図１９】鑑定結果画面を示す図（その２）
【図２０】査定結果画面を示す図（その１）
【図２１】査定結果画面を示す図（その２）
【図２２】本発明の第２の実施形態を示し、通信端末、車両接続端末及び車載装置の構成を示す機能ブロック図
【発明を実施するための形態】
【０００９】
（第１の実施形態）
以下、本発明の第１の実施形態について、図１から図２１を参照して説明する。電子診断を用いた中古車評価システム１は、図１に示すように、サーバ２と通信端末３とが通信ネットワーク（インターネットも含む）４を介してデータ通信可能に構成されている。通信端末３は、中古車を評価する（鑑定・査定する）検査員が携帯可能な例えばタブレット型の端末である。検査員は、通信端末３を携帯することで、作業する範囲の制限を受けることなく、通信端末３に表示される画面を確認しながら対象車両の外装・内装を目視で確認したり電子診断に係る操作を行ったりすることが可能である。
【００１０】
サーバ２は、制御部５と、広域通信部６と、電子診断データベース７と、車両情報データベース８と、鑑定・査定データベース９と、記憶部１０（記憶手段）とを有する。制御部５は、ＣＰＵ（Central Processing Unit）、ＲＯＭ（Read Only Memory）及びＲＡＭ（Random Access Memory）等を有するマイクロコンピュータにより構成されている。制御部５は、ＣＰＵがＲＯＭに記憶されているコンピュータプログラム（中古車評価プログラムを含む）を実行することで、サーバ２の動作全体を制御する。制御部５は、その機能毎に、目視確認結果取得部５ａ（目視確認結果取得手段）と、電子診断部５ｂ（電子診断手段）と、電子診断結果取得部５ｃ（電子診断結果取得手段）と、評価部５ｄ（評価手段）と、評価結果出力部５ｅ（評価結果出力手段）とを有する。
【００１１】
広域通信部６は、通信端末３との間で通信ネットワーク４を介したデータ通信を行う。電子診断データベース７は、対象車両の車両内部のデータを電子診断するのに必要な情報を記憶しており、通信端末３に表示されるＷＥＢ画面の材料となる画面データを記憶している。ＷＥＢ画面とは、ＷＷＷ（World Wide Web）システムを利用してインターネット上で公開可能な画面であり、テキストデータ、ＨＴＭＬ（Hyper Text Markup Language）によるレイアウト情報、文書中に埋め込まれた画像、音声、動画等から構成される画面である。検査員は詳しくは後述するように通信端末３に表示されるＷＥＢ画面で作業手順を確認しながら電子診断に係る操作を行う。
【００１２】
車両情報データベース８は、検査員により登録された車両情報（登録番号、車体番号等）を記憶可能であると共に、外装・内装の目視確認結果や車両内部のデータの電子診断結果を車両情報と対応付けて記憶可能である。鑑定・査定データベース９は、対象車両を鑑定・査定するのに必要な情報を記憶している。記憶部１０は、車両の登録番号及び検査日毎に後述する評価結果（鑑定・査定結果）を記憶可能である。
【００１３】
制御部５において、目視確認結果取得部５ａは、検査員の目視による対象車両の外装・内装の目視確認結果を通信端末３から取得する。電子診断部５ｂは、対象車両の車両内部のデータを電子診断する。電子診断結果取得部５ｃは、対象車両の車両内部のデータを電子診断部５ｂが電子診断したことで、対象車両の車両内部のデータの電子診断結果を取得する。評価部５ｄは、目視確認結果と電子診断結果とに基づいて対象車両を評価する。評価部５ｄの評価としては鑑定と査定がある。鑑定とは、対象車両の外装・内装の目視確認結果に応じたランク、対象車両の車両内部のデータの電子診断結果に応じたランクを決定し、その決定したランクに応じた総合的なランクを付与する評価である。査定とは、鑑定により付与したランクと当該車種の相場に応じて査定額を計算する評価である。評価結果出力部５ｅは、評価部５ｄの評価結果を広域通信部６から通信ネットワーク４を介して通信端末３に送信させる。
【００１４】
通信端末３は、図２に示すように、制御部１１と、接続コネクタ１２と、広域無線通信部１３と、コマンド変換部１４と、表示部１５と、操作受付部１６と、記憶部１７とを有する。制御部１１は、ＣＰＵ、ＲＯＭ及びＲＡＭ等を有するマイクロコンピュータにより構成されている。制御部１１は、ＣＰＵがＲＯＭに記憶されているコンピュータプログラムを実行することで、通信端末３の動作全体を制御する。接続コネクタ１２は、ＯＢＤ（On Board Diagnostic）２の規格に準拠した接続端子であり、車両に搭載されている車載装置（車載コンピュータを含む）１９から車両内部のデータを取得するための接続ケーブル１８を接続可能である。本実施形態では、車載装置１９と通信端末３とが接続ケーブル１８を介して有線で接続され、車両内部のデータが有線で転送される構成を例示しているが、車載装置１９と通信端末３とが無線で接続され、車両内部のデータが無線で転送される構成でも良い。
【００１５】
広域無線通信部１３は、サーバ２との間で通信ネットワーク４を介したデータ通信を行う。広域無線通信部１３は、サーバ２と通信ネットワーク４を介して接続した状態でサーバ２の電子診断データベース７に記憶されている画面データを受信可能（ダウンロード可能）であると共に、車載装置１９から取得した基本車両データや車両データを通信ネットワーク４を介してサーバ２に送信可能である。コマンド変換部１４は、通信端末３と車載装置１９との間で送受信される基本車両データや車両データのデータ形式（プロトコル）と、通信端末３とサーバ２との間で通信ネットワーク４を介して送受信される基本車両データや車両データのデータ形式とを変換する（プロトコル変換する）。表示部１５は、例えばタッチ機能を有する液晶ディスプレイから構成されている。
【００１６】
制御部１１は、ＷＥＢブラウザ（インターネットブラウザ、ＷＷＷブラウザ）を組み込んでおり、ＷＥＢブラウザの機能により、サーバ２から広域無線通信部１３に受信された画面データを構築してＷＥＢ画面を表示部１５に表示したり、ハイパーリンクを辿ったりすることが可能である。操作受付部１６は、例えば表示部１５に表示されるＷＥＢ画面上に形成されているタッチスイッチ等により構成され、検査員からの操作を受付ける。記憶部１７は、制御部１１が各種のデータ処理を実行するのに必要な各種のデータを記憶している。
【００１７】
車載装置１９は、上記した接続ケーブル１８を接続可能な接続コネクタ２０と、その接続コネクタ２０とＣＡＮ（Controller Area Network）２１を介して接続されている第１の制御部２２、第２の制御部２３、第３の制御部２４及び第４の制御部２５とを有する。本実施形態では、ＣＡＮ２１を例示しているが、車載Ｅｔｈｅｒｎｅｔ（登録商標）やＦｌｅｘＲａｙ（登録商標）等でも良い。第１の制御部２２は、ＡＣＣスイッチ２６のオンオフを検知し、その検知結果を第１の表示部２７（インジケータ）に表示させる。ＡＣＣスイッチ２６のオンオフを示す検知結果が第１の表示部２７に表示されることで、検査員はＡＣＣスイッチ２６のオンオフを確認可能となる。又、第２の制御部２３は、アクセルペダル２８の操作量（踏み込み量）を検知し、その検知結果を第２の表示部２９（タコメータ）に表示させる。アクセルペダル２８の操作量を示す検知結果が第２の表示部２９に表示されることで、検査員はアクセルペダル２８の操作量を確認可能となる。
【００１８】
第３の制御部２４は、ワイパースイッチ３０の操作位置（高速、中速、低速、オフ等）を検知し、その検知結果を第３の表示部３１（インジケータ）に表示させる。ワイパースイッチ３０の操作位置を示す検知結果が第３の表示部３１に表示されることで、検査員はワイパースイッチ３０の操作位置を確認可能となる。第４の制御部２５は、ライトスイッチ３２の操作位置（全灯、車幅灯、オフ等）を検知し、その検知結果を第４の表示部３３（インジケータ）に表示させる。ライトスイッチ３２の操作位置を示す検知結果が第４の表示部３３に表示されることで、検査員はライトスイッチ３２の操作位置を確認可能となる。
【００１９】
通信端末３は、接続ケーブル１８を介して車載装置１９に接続されている状態では、基本車両データ要求や車両データ要求を送信することで、基本車両データや車両データ等の車両内部のデータを車載装置１９から受信して取得する。基本車両データとは、例えば車両に実装されているＥＣＵ（Electronic Control Unit）のＩＤ（識別情報）等に関する情報であり、サーバ２と車載装置１９との間でデータ通信が成立するか否かを認証するための情報である。車両データとは、ダイアグや各種データである。ダイアグとは、車両に実装されているＥＣＵが保持している各種センサやアクチュエータ等のＤＴＣ（ダイアグノスティックトラブルコード、故障診断コード）、ＦＦＤ（フリーズフレームデータ）、ペンディング等に関する情報である。各種データとは、例えばエンジンの回転数、エンジン冷却水の温度等、各種センサやアクチュエータの制御状態、ＡＣＣスイッチ２６のオンオフ、アクセルペダル２８の操作量、ワイパースイッチ３０の操作位置、ライトスイッチ３２の操作位置等に関する情報である。検査員が車両状態を変更すると、その車両状態の変更が車両データに反映される。例えば検査員がアクセルペダル２８を操作すると（踏み込むと）、アクセルペダル２８の操作量（踏む込み量）の変動が車両データに反映される。
【００２０】
次に、上記した構成の作用について、図３から図２１を参照して説明する。
最初に、検査員は、評価（鑑定・査定）の対象とする対象車両の車両情報を登録する（Ａ１）。通信端末３において、制御部１１は、図４に示すように、電子診断中古車管理システムを起動したときの初期画面Ｍ１では、車両登録ボタンａ１、車両選択ボタンａ２、設定ボタンａ３、車両情報ボタンａ４、外装鑑定ボタンａ５、電子診断ボタンａ６、鑑定・査定ボタンａ７、発行ボタンａ８を表示する。制御部１１は、検査員が車両登録ボタンａ１を操作したと判定すると、図５に示すように、車両登録画面Ｍ２を表示し、車両情報としての登録番号、初度登録年月、車体番号、原動機型式等の各項目の入力を待機する。尚、検査員が操作したボタンは反転表示される。
【００２１】
制御部１１は、検査員が登録番号等の各項目を入力して登録ボタンｂ１を操作したと判定すると（Ｂ１）、その入力された車両情報を広域無線通信部１３から通信ネットワーク４を介してサーバ２に送信させる。尚、制御部１１は、検査員がＱＲコード（登録商標）利用ボタンｂ２を操作したと判定すると、各項目が手作業で入力される代わりに例えば車検証に印刷されているＱＲコードを読取ることで車両情報を入力する。サーバ２において、制御部５は、通信端末３から送信された車両情報を広域通信部６により受信したと判定すると、その受信した車両情報を車両情報データベース８に記憶する（登録する）（Ｃ１）。
【００２２】
又、制御部１１は、検査員が車両選択ボタンａ２を操作したと判定すると、図６に示すように、車両選択画面Ｍ３を表示し、登録番号、車体番号等の各項目の入力を待機する。制御部１１は、検査員が登録番号、車体番号等の各項目を入力して登録ボタンｂ３又は最近車両ボタンｂ４を操作したと判定すると、その入力された車両情報を広域無線通信部１３から通信ネットワーク４を介してサーバ２に送信させる。
【００２３】
次いで、検査員は、評価の対象とする対象車両の外装・内装を目視確認する（Ａ２）。通信端末３において、制御部１１は、検査員が外装鑑定ボタンａ５を操作したと判定すると、図７に示すように、外装鑑定画面Ｍ４を表示し、外装状態、詳細、内装状態、修復歴等の各項目の入力を待機する。制御部１１は、検査員が対象車両の外装・内装を目視確認し、外装・内装の目視確認結果を入力して登録ボタンｂ５を操作したと判定すると（Ｂ２）、その入力された外装・内装の目視確認結果を広域無線通信部１３から通信ネットワーク４を介してサーバ２に送信させる。サーバ２において、制御部５は、通信端末３から送信された外装・内装の目視確認結果を広域通信部６により受信したと判定し、外装・内装の目視確認結果を取得すると（第１の手順）、その外装・内装の目視確認結果を車両情報と対応付けて車両情報データベース８に記憶する（Ｃ２）。
【００２４】
次いで、検査員は、評価の対象とする対象車両の車両内部のデータの電子診断を指示する（Ａ３）。通信端末３において、制御部１１は、検査員が電子診断ボタンａ６を操作したと判定すると、図８に示すように、電子診断画面Ｍ５を表示し、走行距離の入力を待機する。制御部１１は、検査員が走行距離を入力して診断開始ボタンｂ６を操作したと判定すると（Ｂ３）、その入力された走行距離を含む電子診断指示を広域無線通信部１３から通信ネットワーク４を介してサーバ２に送信させる。サーバ２において、制御部５は、通信端末３から送信された電子診断指示を広域通信部６により受信したと判定すると、その走行距離に応じた車両内部のデータの電子診断を開始する。即ち、制御部５は、走行距離に応じて必要な（予め規定されている）診断項目を選定し、その選定した診断項目について車両内部のデータの電子診断を開始する。
【００２５】
ここで、電子診断について説明する。サーバ２は、通信端末３を介して車載装置１９との間でデータ通信回線を接続することで、車両内部のデータを電子診断する（第２の手順）。検査員は、通信端末３に表示される診断画面（ＷＥＢ画面）を確認しながら、例えばダイアグ、水温確認、始動、アイドル、レーシング、全開レーシング等の電子診断に係る作業を行う。ここでは、図９に示すように、サーバ２がエンジン（駆動機構）を診断する場合を一例として説明する。勿論、サーバ２がエンジン以外の機構を診断する場合も同様である。サーバ２は、エンジンを診断する場合には、診断画面として、図１０から図１５に示すように、診断開始画面Ｍ６、暖機指示画面Ｍ７、第１の操作指示画面Ｍ８、第２の操作指示画面Ｍ９、第３の操作指示画面Ｍ１０のそれぞれを構成する画面データを通信端末３に順次送信する。通信端末３は、サーバ２から順次受信したそれぞれの画面データを構築して診断画面Ｍ６〜Ｍ１０を表示する。
【００２６】
図１０に示す診断開始画面Ｍ６は、診断を開始するに際しての指示を検査員に通知する画面である。検査員は、診断開始画面Ｍ６を確認することで、診断を開始するに際しての指示が、Ｐレンジ、エンジン暖機後、ＩＧＯＮ（エンジン停止）、電気負荷ＯＦＦ等であると把握可能となる。
【００２７】
サーバ２において、制御部５は、検査員が通信端末３の診断開始画面Ｍ６上で開始ボタンｂ７を操作したと判定すると、ダイアグ要求を広域通信部６から通信ネットワーク４を介して通信端末３に送信させる。通信端末３において、制御部１１は、サーバ２から送信されたダイアグ要求を広域無線通信部１３により受信したと判定すると、その受信したダイアグ要求をコマンド変換部１４によりコマンド変換し、そのコマンド変換したダイアグ要求を接続ケーブル１８を介して車載装置１９に送信させる。車載装置１９は、通信端末３から送信されたダイアグ要求を受信すると、その受信したダイアグ要求を解析し、そのダイアグ要求により指定されているダイアグを接続ケーブル１８を介して通信端末３に送信する。通信端末３は、車載装置１９から送信されたダイアグを受信したと判定すると、そのダイアグをコマンド変換部１４によりコマンド変換し、そのコマンド変換したダイアグを広域無線通信部１３から通信ネットワーク４を介してサーバ２に送信させる。サーバ２は、このようにして車載装置１９からダイアグを取得する。
【００２８】
続いて、サーバ２において、制御部５は、データ要求を広域通信部６から通信ネットワーク４を介して通信端末３に送信させる。通信端末３において、制御部１１は、サーバ２から送信されたデータ要求を広域無線通信部１３により受信したと判定すると、その受信したデータ要求をコマンド変換部１４によりコマンド変換し、そのコマンド変換したデータ要求を接続ケーブル１８を介して車載装置１９に送信させる。車載装置１９は、通信端末３から送信されたデータ要求を受信すると、その受信したデータ要求を解析し、そのデータ要求により指定されているデータを接続ケーブル１８を介して通信端末３に送信する。通信端末３は、車載装置１９から送信されたデータを受信したと判定すると、そのデータをコマンド変換部１４によりコマンド変換し、そのコマンド変換したダイアグを広域無線通信部１３から通信ネットワーク４を介してサーバ２に送信させる。サーバ２は、このようにして車載装置１９からデータを取得する。
【００２９】
図１１に示す暖機指示画面Ｍ７は、エンジンの冷却水の現在の温度を示すデータを車載装置１９から取得することで、暖機が必要であることを検査員に通知する画面である。検査員は、暖機指示画面Ｍ７を確認することで、エンジンの冷却水の現在の温度（図１１では「５５℃」を例示している）を把握可能となると共に、エンジンの冷却水の現在の温度が所定温度（図１１では「７０℃」を例示している）に達していない理由で暖機運転を実施する必要があること、エンジンの冷却水の温度が所定温度に達すると次の手順が自動で表示されることを把握可能となる。
【００３０】
図１２に示す第１の操作指示画面Ｍ８は、ブレーキを踏んで始動する指示を検査員に通知する画面である。検査員は、第１の操作指示画面Ｍ８を確認することで、次の手順がブレーキを踏んで始動する作業であることを把握可能となり、そのブレーキを踏んで始動するタイミングを把握可能となる。尚、サーバ２において、制御部５は、このようにブレーキを踏んで始動することを促す第１の操作指示画面Ｍ８を提供する場合には、検査員が始動開始するタイミングをカウントダウンにより指示する。制御部５は、始動開始に関係するデータを通信端末３から受信する準備を完了した後に、検査員が始動開始を行うように第１の操作指示画面Ｍ８において検査員が始動開始するタイミングを調整する（同期を確立する）。尚、検査員が始動開始するタイミングをカウントダウンにより指示することに限らず、第１の操作指示画面Ｍ８を表示するタイミングを調整しても良い。又、後述する第２の操作指示画面Ｍ９及び第３の操作指示画面Ｍ１０についても、これと同様にして、検査員が作業を行うタイミングを調整する。
【００３１】
図１３及び図１４に示す第２の操作指示画面Ｍ９は、エンジンの回転数を所定数（図１３及び図１４では「２０００ｒｐｍ」を例示している）まで上昇させて一定に維持する指示を検査員に通知する画面である。検査員は、第２の操作指示画面Ｍ９を確認することで、次の手順がエンジンの回転数を所定数まで上昇させて一定に維持する作業であることを把握可能となる。尚、第２の操作指示画面Ｍ９では、エンジンの回転数を所定数まで上昇させるように指示されているので、検査員がエンジンの回転数を確認可能となるように、エンジンの回転数の範囲を示すスケールｃ１（図１３及び図１４では「０〜５０００ｒｐｍ」を例示している）と、目標となる目標ラインｃ２と、目標ラインｃ２の周囲の目標エリアｃ３と、エンジンの回転数を示すバーｃ４とが表示される。
【００３２】
検査員がアクセルペダル２８を操作すると（踏み込むと）、その操作量に応じたエンジンの回転数を含む車両データが車載装置１９から通信端末３を介してサーバ２に受信されることで、エンジンの回転数が第２の操作指示画面Ｍ９上に反映される。具体的には、検査員が測定開始ボタンｂ８を操作し、アクセルペダル２８を操作すると、そのアクセルペダル２８の操作量（踏み込み量）に応じて第２の操作指示画面Ｍ９上でエンジンの回転数を示すバーｃ４の長さが伸縮する。この場合、サーバ２がエンジンの回転数を示す車両データを受信する準備を完了した後に、検査員がアクセルペダル２８を操作するように第２の操作指示画面Ｍ９を表示するタイミングを調整することで、検査員がアクセルペダル２８を操作したことに連動し、第２の操作指示画面Ｍ９上でエンジンの回転数を示すバーｃ４の長さが伸縮することになる。即ち、検査員がアクセルペダル２８を操作したことにも拘らずバーｃ４の長さが伸縮しなかったり、検査員がアクセルペダル２８を操作したタイミングから遅れてバーｃ４の長さが伸縮したりする状況を回避し、違和感を検査員に与えてしまうことを未然に回避可能となる。
【００３３】
又、このように検査員がアクセルペダル２８を操作する操作量に追従してバーｃ４の長さが伸縮するので、対象車両にタコメータ（エンジンの回転数を示す回転速度計）が実装されていなくても、第２の操作指示画面Ｍ９を確認することで、エンジンの回転数を確認可能となる。又、第２の操作指示画面Ｍ９をＷＥＢ画面により提供するので、スケールｃ１の分解能（目盛り）を自在に設定可能となる。そのため、対象車両にタコメータが実装されていたとしても、スケールｃ１の分解能をタコメータの分解能よりも高く設定すれば、第２の操作指示画面Ｍ９を確認することで、エンジンの回転数の微調整を容易に行える。
【００３４】
図１５に示す第３の操作指示画面Ｍ１０は、アクセルを全開にする指示を検査員に通知する画面である。検査員は、第３の操作指示画面Ｍ１０を確認することで、次の手順がアクセルを全開にする（アクセルペダル２８の踏み込みを最大とする）作業であることを把握可能となる。尚、第３の操作指示画面Ｍ１０でも、検査員がエンジンの回転数を確認可能となるように、スケールｃ１と、目標ラインｃ２と、目標エリアｃ３と、バーｃ４とが表示される。検査員は、このようにしてサーバ２から通信端末３に受信される一連の診断画面Ｍ６〜Ｍ１０を確認し、それぞれの診断画面Ｍ６〜Ｍ１０の指示にしたがうことで車両内部のデータを取得することができる。
【００３５】
サーバ２において、制御部５は、このようにして取得した車両内部のデータを、電子診断データベース７に記憶されている基準値との比較やその有無により診断（電子診断）する。基準値は車両毎に保持されていても良いし、ある程度の車両グループ毎に保持されていても良い。又、基準値として全体の平均値が採用されても良い。診断の対象はダイアグと各種データとしても良いし、簡易的な診断を実施する場合にはその一部のみとしても良い。
【００３６】
制御部５は、車両内部のデータの電子診断を終了し、車両内部のデータの電子診断結果を取得すると（第３の手順）、その車両内部のデータの電子診断結果を車両情報と対応付けて車両情報データベース８に記憶する（Ｃ３）。
【００３７】
次いで、検査員は、対象車両の鑑定を指示する（Ａ４）。通信端末３において、制御部１１は、検査員が鑑定・査定ボタンａ７を操作したと判定すると、図１６に示すように、鑑定・査定画面Ｍ１１を表示し、鑑定開始又は査定開始の入力を待機する。制御部１１は、検査員が鑑定開始ボタンｂ９を操作したと判定し、鑑定を指示したと判定すると、鑑定指示を広域無線通信部１３から通信ネットワーク４を介してサーバ２に送信させる（Ｂ４）。サーバ２において、制御部５は、通信端末３から送信された鑑定指示を広域通信部６により受信したと判定すると、鑑定・査定データベース９を参照し、対象車両を鑑定する（Ｃ４、第４の手順）。そして、制御部５は、鑑定を完了すると、その鑑定結果を広域通信部６から通信ネットワーク４を介して通信端末３に送信させる（第５の手順）。又、制御部５は、図１７に示すように、鑑定結果として例えば外装ランク及び内装ランク（目視確認結果に応じたランク）と、電子診断ランク（電子診断結果に応じたランク）と、総合ランク（総合的なランク）とを評価履歴として記憶部１０に記憶する（Ｃ５、第６の手順）。外装ランクは、例えば全体で傷が全くなければ評価ＡＡと評価され、以下、傷の箇所や数によりＡ、Ｂ、Ｃ・・・と評価される。内装ランクも同様の考え方で評価される。又、電子診断ランクは、例えば基準値から大きく離れたデータやＤＴＣが全くなければ評価ＡＡと評価され、以下、基準値から離れたデータの数やＤＴＣの数によりＡ、Ｂ、Ｃ・・・と評価される。総合ランクは、それらのランクを総合的に考慮して評価される。
【００３８】
通信端末３において、制御部１１は、サーバ２から送信された鑑定結果を広域無線通信部１３により受信したと判定すると、鑑定結果を受信した旨を検査員に通知する。そして、制御部１１は、検査員が表示ボタンｂ１０を操作したと判定すると、図１８に示すように、鑑定結果画面Ｍ１２を表示する（Ｂ５）。検査員は、鑑定結果画面Ｍ１２を確認することで、鑑定結果を把握可能となる。図１８では、外装ランク、内装ランク、電子診断ランク、総合ランクを表示する一例を示している。検査員は、このようにして鑑定結果画面Ｍ１２に表示される鑑定結果を把握することで、対象車両の鑑定結果（価値）を客観的に評価可能となる。例えば外装ランクや内装ランクの評価が比較的低いにも拘らず、電子診断ランクの評価が比較的高い場合であれば、見た目ほど車両内部（例えばエンジン機構等）が劣化していないと判断可能となる。一方、例えば外装ランクや内装ランクの評価が比較的高いにも拘らず、電子診断ランクの評価が比較的低い場合であれば、見た目よりも車両内部（例えばエンジン機構等）が劣化していると判断可能となる。又、制御部１１は、検査員が鑑定履歴ボタンｂ１３を操作したと判定すると、図１９に示すように、その対象車両についてのこれまでの鑑定履歴（検査日と鑑定結果との対応）を表示する。検査員は、鑑定履歴を確認することで、これまでの鑑定結果の推移を把握可能となる。例えば今回のランクが前回のランクと同じであれば、今回の鑑定結果が前回の鑑定結果と同じである（不正が行われていない）と把握可能となる。
【００３９】
次いで、検査員は、対象車両の査定を指示する（Ａ５）。通信端末３において、制御部１１は、検査員が査定開始ボタンｂ１１を操作したと判定し、査定を指示したと判定すると、査定指示を広域無線通信部１３から通信ネットワーク４を介してサーバ２に送信させる（Ｂ６）。サーバ２において、制御部５は、通信端末３から送信された査定指示を広域通信部６により受信したと判定すると、鑑定・査定データベース９を参照し、対象車両を査定する（Ｃ６、第４の手順）。そして、制御部５は、査定を完了すると、その査定結果を広域通信部６から通信ネットワーク４を介して通信端末３に送信させる（第５の手順）。又、制御部５は、図１７に示すように、査定結果として例えば査定価格と、相場価格とを評価履歴として記憶部１０に記憶する（Ｃ７、第６の手順）。
【００４０】
通信端末３において、制御部１１は、サーバ２から送信された査定結果を広域無線通信部１３により受信したと判定すると、査定結果を受信した旨を検査員に通知する。そして、制御部１１は、検査員が表示ボタンｂ１２を操作したと判定すると、図２０に示すように、査定結果画面Ｍ１３を表示する（Ｂ７）。検査員は、査定結果画面Ｍ１３を確認することで、査定結果を把握可能となる。図２０では、査定価格、相場価格を表示する一例を示している。検査員は、このようにして査定結果画面Ｍ１３に表示される査定結果を把握することで、対象車両の査定結果（価値）を客観的に評価可能となる。又、制御部１１は、検査員が査定履歴ボタンｂ１４を操作したと判定すると、図２１に示すように、その対象車両についてのこれまでの査定履歴（検査日と査定結果との対応）を表示する。検査員は、査定履歴を確認することで、これまでの査定結果の推移を把握可能となる。又、相場価格の推移とも比較可能となる。例えば今回の査定価格が前回の査定価格から低下していれば、その期間で価値が低下したと把握可能となり、今回の査定価格が前回の査定価格から上昇していれば、その期間で価値が上昇したと把握可能となる。
【００４１】
以上に説明したように第１の実施形態によれば、次に示す効果を得ることができる。
対象車両の車両内部のデータをサーバ２が電子診断することで、検査員の目視による対象車両の外装・内装の目視確認結果に加え、目視確認結果と電子診断結果とに基づいて対象車両を鑑定・査定するようにした。これにより、検査員の目視による対象車両の外装・内装の目視確認結果のみでなく、検査員の目視では捉えられない現在の車両内部のデータの電子診断結果をも中古車の鑑定・査定に反映させることができ、中古車の鑑定・査定をより適切に行うことができる。即ち、見た目だけで評価し得ない現在の車両内部（例えばエンジン機構等）の劣化の程度を評価することができる。又、検査員がデータをデータベースに入力する手間が発生することもなく、検査員の作業性を高めることもできる。
【００４２】
又、鑑定結果及び査定結果を評価履歴として記憶するようにした。これにより、中古車を販売する運用形態では、鑑定・査定から即座に納車するのではなく、鑑定・査定から所定期間（例えば各種手続きを行うのに必要な期間等）の経過後に納車することがあるが、納車する際にも車両内部のデータを電子診断することで、前回の電子診断結果と今回の電子診断結果とを照合することで、車両内部の品質を適切に証明することができる。又、鑑定・査定を繰り返すこともあるが、前回の電子診断結果と今回の電子診断結果とを照合することで、車両内部の経年劣化の進行の程度等を適切に証明することができる。
【００４３】
（第２の実施形態）
次に、本発明の第２の実施形態について、図２２を参照して説明する。第１の実施形態は、通信端末３が車載装置１９に直接接続されることで、通信端末３が車載装置１９から車両データを直接取得する構成であるが、第２の実施形態は、通信端末が専用の車両接続端末を介して車載装置１９に接続されることで、通信端末３が車載装置１９から車両データを車両接続端末を介して取得する構成である。
【００４４】
車両接続端末４１は、動作全体を制御する制御部４２と、第１の実施形態で説明した接続コネクタ１２及びコマンド変換部１４に相当する接続コネクタ４３及びコマンド変換部４４と、通信端末４６との間でＢｌｕｅｔｏｏｔｈ（登録商標）通信を行うＢＴ通信部４５とを有する。通信端末４６は、動作全体を制御する制御部４７と、車両接続端末４１との間でＢｌｕｅｔｏｏｔｈ通信を行うＢＴ通信部４８と、第１の実施形態で説明した広域無線通信部１３、表示部１５、操作受付部１６及び記憶部１７に相当する広域無線通信部４９、表示部５０、操作受付部５１及び記憶部５２とを有する。尚、車両接続端末４１と通信端末４６とがＢｌｕｅｔｏｏｔｈで接続される構成に限らず、他の無線通信方式（無線ＬＡＮ等）で接続される構成でも良い。又、車両接続端末４１と通信端末４６が有線で接続される構成でも良い。このように第１の実施形態で説明した通信端末３の機能が車両接続端末４１と通信端末４６との２つの端末に分担される構成であっても、第１の実施形態と同様の作用効果を得ることができる。
【００４５】
（その他の実施形態）
本発明は、上記した実施形態にのみ限定されるものではなく、以下のように変形又は拡張することができる。
検査員が、先に外装・内装を目視確認し、後から車両内部のデータの電子診断を指示する場合を例示したが、先に車両内部のデータの電子診断を指示し、後から外装・内装を目視確認しても良い。即ち、サーバ２において、先に車両内部のデータの電子診断結果を車両情報データベース８に記憶し、後から外装・内装の目視確認結果を車両情報データベース８に記憶しても良い。
【００４６】
対象車両の評価全体を同一の通信端末３で行う構成を例示したが、外装・内装の目視確認結果を入力する装置と、電子診断を行う装置とを別々としても良い。又、外装・内装の目視確認結果に基づいて外装ランク及び内装ランクを付与するシステムと、電子診断結果に基づいて電子診断ランクを付与するシステムとを別々に構成し、それらの別々のシステムで付与した外装ランク及び内装ランクと電子診断ランクとを総合的に評価して総合ランクを付与しても良い。
【００４７】
サーバ２の機能を通信端末３に持たせても良い。即ち、電子診断データベース７、車両情報データベース８及び鑑定・査定データベース９に記憶されている情報を通信端末３が記憶すると共に、サーバ２が実行する処理（ソフトウェア）を通信端末３が実行するようにしても良い。この場合、通信端末３において、対象車両に関する情報や対象車両に特化して実行する処理のみをサーバ２からダウンロードしても良い。
【００４８】
サーバ２において、評価結果として鑑定結果と査定結果との両方を記憶する場合を例示したが、鑑定結果又は査定結果の何れか一方のみを記憶しても良い。
鑑定結果画面Ｍ１２や査定結果画面Ｍ１３はどのような構成であっても良い。例えば鑑定結果画面Ｍ１２では、車体ボデーの画像（外装画像）や車室内の画像（内装画像）等を表示しても良いし、損傷個所の拡大画像等を表示しても良い。又、鑑定結果画面Ｍ１２では、電子診断ランクを、例えばエンジン機構のランク、エアコン機構のランク、ステアリング機構のランク等に細分化して表示しても良い。例えば査定結果画面Ｍ１３では、対象車両の査定結果と共に、その対象車両と車名や初度登録年月が同じ車両についての査定結果を比較対象として表示しても良い。又、検査員による外装・内装の目視確認では、検査員の経験（熟練度）等により多少のバラツキが想定されるので、外装・内装の目視確認を実施した検査員を管理することで、外装・内装の目視確認を実施した検査員を特定する検査員ＩＤ等を表示しても良い。
【００４９】
図１７に示した鑑定結果と査定結果を管理する態様としては、例えば登録番号毎に鑑定結果と査定結果を管理しても良いし、車種毎に鑑定結果と査定結果を管理しても良い。即ち、鑑定履歴や査定履歴を検索し易い態様で管理すれば良い。
【００５０】
車両内部のデータを電子診断する場合のＷＥＢ画面における検査員への指示は、文字のみに限らず、画像を組み合わせても良く、静止画や動画を用いても良い。又、例えば画像に連動して音声を出力する等しても良い。画像を組み合わせることで、検査員への指示をより正確に与えることができる。
【符号の説明】
【００５１】
図面中、１は電子診断を用いた中古車評価システム、２はサーバ、３は通信端末、５ａは目視確認結果取得部（目視確認結果取得手段）、５ｂは電子診断部（電子診断手段）、５ｃは電子診断結果取得部（電子診断結果取得手段）、５ｄは評価部（評価手段）、５ｅは評価結果出力部（評価結果出力手段）、１０は記憶部（記憶手段）である。
【図１】
0006318899.tif 000002
【図２】
0006318899.tif 000003
【図３】
0006318899.tif 000004
【図４】
0006318899.tif 000005
【図５】
0006318899.tif 000006
【図６】
0006318899.tif 000007
【図７】
0006318899.tif 000008
【図８】
0006318899.tif 000009
【図９】
0006318899.tif 000010
【図１０】
0006318899.tif 000011
【図１１】
0006318899.tif 000012
【図１２】
0006318899.tif 000013
【図１３】
0006318899.tif 000014
【図１４】
0006318899.tif 000015
【図１５】
0006318899.tif 000016
【図１６】
0006318899.tif 000017
【図１７】
0006318899.tif 000018
【図１８】
0006318899.tif 000019
【図１９】
0006318899.tif 000020
【図２０】
0006318899.tif 000021
【図２１】
0006318899.tif 000022
【図２２】
0006318899.tif 000023